(57)【特許請求の範囲】
【請求項１】
補給トレイを有するプリンタに用いられる媒体装填器インサートであって、前記補給トレイは、前記補給トレイに入れられた封書サイズの媒体と選択的に接触するように構成されている側縁止めを備え、
前記媒体装填器インサートはさらに、
小寸法媒体受けを画定し、前記補給トレイに嵌まって安定する大きさになっている、インサート本体と、
前記小寸法媒体受けに近在し、該小寸法媒体受けの側縁に沿ってその中央部に配置されて該小寸法媒体受け内の媒体の側縁にその中央部で接触することによって前記媒体を前記補給トレイの側壁に接触するように付勢し、前記媒体の斜行を抑える幅調節器とを備え、
前記インサート本体の幅が、前記封書サイズの媒体の幅に相当する幅を有している
ことを特徴とする媒体装填器インサート。
【請求項２】
前記幅調節器が、前記小寸法媒体受けの内部に入れられた媒体の側縁に選択的に接触するように構成されている調節可能な媒体接触面を備えることを特徴とする請求項１に記載の媒体装填器インサート。
【請求項３】
前記媒体接触面が、前記小寸法媒体受けの内部に入れられた媒体の側縁と接触し、前記媒体が前記補給トレイの側壁に当接するように付勢されることを特徴とする請求項２に記載の媒体装填器インサート。
【請求項４】
補給トレイを有するプリンタに用いられる媒体装填器インサートであって、
小寸法媒体受けを画定し、前記補給トレイに嵌まって安定する大きさになっている、インサート本体と、
前記小寸法媒体受けに近在し、該小寸法媒体受けの側縁に沿ってその中央部に配置されて該小寸法媒体受け内の媒体の側縁にその中央部で接触することによって前記媒体を前記補給トレイの側壁に接触するように付勢し、前記媒体の斜行を抑える幅調節器と
を備え、
前記幅調節器が、前記小寸法媒体受けの内部に入れられた媒体を下から支持するように構成された調節可能な床を備えることを特徴とする媒体装填器インサート。
【請求項５】
前記幅調節器の床が上方に自由に回動して、前記小寸法媒体受けの内部に入れられた媒体のピックアップを可能にすることを特徴とする請求項４に記載の媒体装填器インサート。
【請求項６】
補給トレイを有するプリンタに用いられる媒体装填器インサートであって、
小寸法媒体受けを画定し、前記補給トレイに嵌まって安定する大きさになっている、インサート本体と、
前記小寸法媒体受けに近在し、該小寸法媒体受けの側縁に沿ってその中央部に配置されて該小寸法媒体受け内の媒体の側縁にその中央部で接触することによって前記媒体を前記補給トレイの側壁に接触するように付勢し、前記媒体の斜行を抑える幅調節器と
を備え、
前記幅調節器が、第１の軸（Ａ）の周りに回動して前記小寸法媒体受けの内部に入れられた媒体の側縁に接触するよう付勢されている媒体接触面を備え、
前記幅調節器が、第１の軸（Ａ）に交差する第２の軸（Ｂ）の周りに回動して前記小寸法媒体受けの内部に入れられた媒体を下から支持する床を備えることを特徴とする媒体装填器インサート。
【請求項７】
プリンタ内で補給トレイとともに用いられる媒体装填器インサートであって、前記補給トレイは、前記プリンタ内へ送るものとして第１のサイズを有する媒体を受け、保持するための、固定壁および床を有し、
前記媒体装填器インサートが、
（ａ）  前記第１のサイズを有する媒体に比して小さなサイズを有する小寸法媒体を収納するための小寸法媒体受けを有するインサート本体であって、
（ａ−１）  前記補給トレイに挿入され、前記補給トレイの前記床上に載置されて前記小寸法媒体を前記プリンタに供給するように構成され、
（ａ−２）  さらに、前記補給トレイから前記小寸法媒体とともに取り外されるように構成される、
インサート本体と、
（ｂ）  前記小寸法媒体受けの一側面に沿う媒体接触面であって、前記小寸法媒体に付勢して前記小寸法媒体が前記補給トレイの一側面と接触するように動くことにより媒体の大きさの変化に対応する、媒体接触面と
を有することを特徴とする媒体装填器インサート。
【請求項８】
プリンタであって、
（ａ）  印刷用の補給ポートから挿入される封書サイズの媒体を収納するよう構成された補給トレイであって、
（ａ−１）  前記補給トレイに入れられた封書サイズの媒体の側縁に選択的に接触し、前記封書サイズの媒体を前記補給トレイの側壁と接触すべく付勢するように構成された調節可能な側縁止めと、
（ａ−２）  前記補給トレイの中に入れられた前記封書サイズの媒体の前縁を選択的に持ち上げるよう構成されている媒体昇降機と
を備える、補給トレイと、
（ｂ）  媒体装填器インサートであって、
（ｂ−１）  小寸法媒体を中に収納するように構成された小寸法媒体受けを有するインサート本体と、
（ｂ−２）  前記小寸法媒体受けの内部にある小寸法媒体の側縁と選択的に接触するように構成された幅調節器と、
（ｂ−３）  前記小寸法媒体受けの内部にある小寸法媒体の後縁と選択的に接触するように構成された長さ調節器と
を備える媒体装填器インサートと
を有し、
前記幅調節器（ｂ−２）が、
（ｂ−２−１）  前記小寸法媒体受けの側縁に沿って配置された回動式媒体接触面であって、第１の軸（Ａ）の周りに回動して前記小寸法媒体受けの内部に入れられた前記小寸法媒体の側縁に選択的に接触し、前記小寸法媒体を前記補給トレイの側壁と接触すべく付勢するように構成された、回動式媒体接触面と、
（ｂ−２−２）  前記第１の軸（Ａ）に交差する第２の軸（Ｂ）の周りに前記媒体昇降機とともに回動して、前記小寸法媒体受けの内部にある前記小寸法媒体を選択的に持ち上げるように構成された回動式幅調節器床と
を備えており、
前記長さ調節器（ｂ−３）が、
（ｂ−３−１）  前記小寸法媒体受けの後縁に沿って設置された調節可能な媒体接触面であって、前記小寸法媒体受けの内部に入れられた前記小寸法媒体の後縁に選択的に接触する、調節可能な媒体接触面を備えており、
前記媒体装填器インサート（ｂ）が、
（ｂ−４）  前記封書サイズの媒体の幅に相当する幅を有しており、前記媒体装填器インサートは前記補給トレイ内に、取り外し可能に装着され、前記調節可能な側縁止めが、前記媒体装填器インサートと接触して前記媒体装填器インサートが前記補給トレイの側壁と接触すべく付勢して、前記媒体装填器インサートが固定されることが可能となるように構成されている
ことを特徴とするプリンタ。
【請求項９】
プリンタであって、
（ａ）  印刷用の補給ポートから挿入される封書サイズの媒体を収納するように構成された補給トレイであって、前記補給トレイに入れられた前記封書サイズの媒体の側縁に選択的に接触し、前記封書サイズの媒体を前記補給トレイの側壁と接触すべく付勢するように構成された調節可能な側縁止めを備える、補給トレイと、
（ｂ）  媒体装填器インサートであって、
（ｂ−１）  小寸法媒体受けを有するインサート本体と、
（ｂ−２）  調節可能な媒体接触面を有する幅調節器であって、前記小寸法媒体受けの側縁に沿って配置されており、前記小寸法媒体受けの内部にある前記小寸法媒体の側縁に選択的に接触する、幅調節器と
を備える媒体装填器インサートと
を有し、
前記媒体装填器インサート（ｂ）が、
（ｂ−３）  前記封書サイズの媒体の幅に相当する幅を有しており、前記媒体装填器インサートは前記補給トレイ内に、取り外し可能に装着され、前記調節可能な側縁止めが前記媒体装填器インサートと接触して前記媒体装填器インサートが前記補給トレイの側壁と接触すべく付勢して、前記媒体装填器インサートが固定されることが可能となるように構成されており、前記小寸法媒体受け内に入れられた前記小寸法媒体は前記補給トレイの側壁に接触するように付勢されて前記小寸法媒体の斜行が抑制される
ことを特徴とするプリンタ。
【発明の詳細な説明】
【０００１】
【発明の属する技術分野】
本発明は、概してプリンタに関し、更に詳細に記せば、プリンタに使用する媒体装填器に関する。さらに詳細に記せば、本発明は、サイズの小さい媒体を印刷のためにプリンタに補給することに対応するためにプリンタの補給トレイに装着される調節可能な媒体装填器インサートに関する。
【０００２】
【従来の技術】
プリンタは、典型的にはさまざまな媒体サイズの媒体に印刷するのに使用されるが、ほとんどのプリンタには最大媒体幅限度があり、同様に、有効な印刷を行なうことができる最小媒体幅がある。高速レーザプリンタのような幾つかのプリンタは、各媒体サイズ毎に専用の補給媒体トレイを備えている。大量販売用のインクジェットプリンタのような価格の低いプリンタは、一般に、典型的には封書サイズの媒体（8.5″×11″）に適合するトレイを一つだけ備えており、異なるサイズの媒体に印刷するのに対応するように幾らかの適応性が付与されている。
【０００３】
幅の異なる媒体への印刷に適応するために、プリンタはしばしば、滑動してより細い媒体シートの側縁を押さえる調節可能な媒体縁止めを採用している。標準の封書サイズの長さより短い媒体への印刷は通常、短い媒体のスタックをその前縁が止めに接触するまで送り込むことによって適応させている。この方法は封筒およびより小さい索引カードに対応させる幾つかの場合には有効であることが示されているが、この方法には短所がある。
【０００４】
【発明が解決しようとする課題】
たとえば、着脱可能ではない補給トレイを有しており、それらはプリンタの本体の中に十分入りこんでいるプリンタがある。これでは、媒体挿入開口と前縁止めとの間にかなりな距離が存在してしまう。したがって、この距離よりも短い媒体を装填しまたは引き出すのは困難である。更に、媒体をその正しい横方向位置に維持するのに必要な方法で媒体縁止めを調節するのは困難である。
【０００５】
小さい媒体サイズに対応させる際の更に他の困難は、多数のプリンタが、すべての媒体サイズに対する固定された側縁基準として媒体トレイの一つの縁を使用することのような、共通の媒体位置あわせ手法に依存しているということである。この基準面と接触しない比較的小さい媒体に対応するためのすべての方策は、プリンタのファームウェアの変更を必要とし、価格面および複雑さの点で不利益が生ずる。
【０００６】
他に、比較的小さい媒体を装填することに伴う問題点を克服するプリンタでさえ、幅を適切に調節できないことがあり、許容できない媒体の斜行（ｓｋｅｗ：ずれ、ねじれ）という問題に突き当たる。たとえば、媒体の縁止めは典型的には、標準サイズの媒体シートの中心領域に接触（ｅｎｇａｇｅ：位置）し、補給スタックの正しい向きを維持するために媒体を横方向に付勢するようになっている。しかし、小さい媒体では通常、媒体の縁止めが媒体の後縁に近いところに位置するので、媒体が挿入開口に入る時に媒体を斜行させる可能性があることが認められる。これは補給トレイの床が上方に回転するにつれて悪化し、補給媒体スタックにかかる横方向の付勢力を維持するのが困難になる。
【０００７】
本発明は、プリンタの補給トレイに着脱可能に挿入される媒体装填器インサートを採用することによって、Ａ６媒体および葉書媒体のような小サイズの媒体に印刷することに伴う困難に取り組むものである。
【０００８】
【課題を解決するための手段】
媒体装填器インサートは、プリンタの供給ポートに挿入される小サイズのメディアを収納するように構成されている小寸法（ｒｅｄｕｃｅｄ  ｓｉｚｅ）媒体受けを画定するインサート本体を備える。インサート本体は、封書サイズの用紙の幅に対応する幅であり、その結果、従来の補給トレイにフィットして安定する大きさになっている。幅調節器は前記小寸法媒体受けに近在するように設けられおり、この幅調節器は小寸法媒体受けの側縁に沿って中央に配置されて該小寸法媒体受け内の媒体の側縁に中央で接触することによって媒体の斜行を抑える。
【０００９】
【発明の実施の形態】
図１乃至図３を参照すると、媒体装填器インサート（アダプタ）10が図示されており、このような媒体装填器インサートは、印刷のために小サイズの媒体（メディア）の受け入れに対応するよう構成されている。したがって、媒体装填器インサートは一般に、小サイズ媒体スタック20（典型的にはＡ６媒体または葉書媒体）を受け入れる大きさの媒体受け14を有するおおよそ長方形の平面状の本体12を備えているので、プリンタの補給（ｉｎｐｕｔ）ポートを通して小サイズの媒体シートを自動的に送り出すまたはピックアップすることができる。媒体ホルダが、通常小サイズ媒体の補給に関連する困難、すなわち媒体の斜行、を減らすように、描写されるように積み重ねられた状態に媒体シートを維持するようになっている。
【００１０】
図２に示したように、媒体装填器インサート10は、プリンタの補給トレイ110にはめ込まれて設置されるように構成されているので、媒体装填器インサートは典型的には、補給トレイの輪郭に対応する輪郭を有することを特徴としている。たとえば、本体12は封書サイズの紙の幅に対応する幅、封書サイズの紙の長さに大体（ｓｏｍｅｗｈａｔ）対応する長さ、および補給トレイの深さに大体対応する深さを有していることが認められよう。事実、本体12は、媒体装填器10を補給トレイの内部で位置合わせする際の補助となる視覚的手がかりを与えるように補給トレイの後縁112の輪郭を真似た後縁12ａを有している。
【００１１】
補給トレイ110に媒体装填器インサートを設置すると、補給トレイの側縁止め130が、側止めが封書サイズの媒体スタックの側縁に接するのと同様に媒体装填器インサートの側縁に接するように調節される。このことは通常、側縁止めが媒体装填器インサート側縁の中心領域に位置することを意味する。これは、媒体が補給トレイに直接的に配置された場合に補給トレイの側縁止めによって接触されるであろう小サイズ媒体スタックの後方領域とは対照的である。側縁止め130は媒体装填器インサート10と接する方にばねで付勢（ｂｉａｓ）しても良く、したがって媒体装填器インサートを補給トレイの反対の側縁と強制的に接触させ、斜行の無い所望の向きにすることができる。代わりに、側縁止めを手作業で調節し、別の適切な軸受機構によって、媒体装填器インサートに隣接する位置に保持することができる。
【００１２】
同様に、補給トレイの後縁止め140を、後縁止めが封書サイズの媒体スタックに接するのと同様に媒体装填器インサートの後縁に接するように構成してよい。典型的には、後縁止めを手作業で調節し、適切な軸受機構によって媒体装填器インサートに隣接する位置に保持する。
【００１３】
媒体装填器インサートを、これも通常本体12に形成される窪み型把手16を使用して補給トレイ内に設置する。更に読み進むと認識されるように、媒体装填器インサートは、媒体装填器インサートを補給トレイに設置してから媒体を受け取るようになっており、補給トレイは小サイズ媒体スタックのための残りの保持境界を画定する役割を負う。媒体スタックはしたがって、所定の送りの向きに厳密に保持され、この向きは媒体の斜行を防止するように選択されている。
【００１４】
この開示を簡単にする目的で、図１には、直行軸の図があり、このような軸は描写された媒体装填器インサートの使用法を説明するのに役立つ。示されたＸ軸は媒体送り方向に対応し、正方向は、媒体送り方向で表して「前方」または「下流」である。Ｙ軸は媒体幅に対応し、正方向は、図１に示した向きにある媒体の前縁から見て、「右」に向かっている。Ｚ軸は媒体スタックの高さに対応し、媒体の平面に垂直で、正方向は、図１に示した向きにある媒体スタックから「上」である。
【００１５】
今度は図１および図２を参照すると、媒体装填器インサート10が媒体サイズのばらつき、ただしこのようなばらつきは典型的には比較的小さく約５ｍｍのオーダーであるけれども、に対応することが可能になっていることが認識されよう。媒体装填器インサートはしたがって媒体接触面32の位置を調節する幅調節器30、および媒体接触面42の位置を調節する長さ調節器（アジャスタ）40を備えている。幅調節器30は小サイズ媒体スタックの右側縁に接触し、したがって、おおよそＸ軸に平行な媒体接触面32を備えている。長さ調節器40は小サイズ媒体スタックの前縁に係合し、したがっておおよそＹ軸に平行な媒体接触面42を備えている。
【００１６】
媒体接触面32は、接触面と小サイズ媒体スタックの側縁との間の接触を対応考慮した外形に形作られている。好適には、媒体接触面32は、小サイズ媒体スタック20の側縁の中心領域に接触し、したがって、望ましく無い媒体の斜行の可能性が減少する。小サイズ媒体スタックは更に、媒体接触面32から幾分普通に伸びて小サイズ媒体スタックを下から支持する調節可能な床34によって前述の中心領域において支持されている。調節可能な床34は媒体全体を横断するように広がる必要はなく、逆にその一部分だけを支持すればよいことが認識されよう。
【００１７】
説明したように、幅調節器30は、図１に示すＺ軸に平行な垂直軸Ａの周りを回転する。媒体接触面32はしたがってＹ軸方向に、回転して調節可能であり、媒体接触面32と小サイズ媒体スタック20の側縁との間の接触を確保している。描写した実施形態では、媒体接触面32は小サイズ媒体スタックに接触する領域内で約５ｍｍを調節する。典型的には、媒体接触面32はＹの負の方向に、蝶番組立体36によって小サイズ媒体スタックとの接触する方にばね付勢されている。このようなばね付勢は、正しい媒体の向きを維持することに役立ち、その結果媒体の斜行を減らすことに役立つ。
【００１８】
本実施の形態では、幅調節器30はＹ軸に平行な水平軸Ｂの周りをも回転して調節可能である。軸Ｂは、調節可能な床34の回転による調節に備えて、一般に幅調節器の後端に沿って伸びていることが注目される。床34は、その前端の近傍で鉛直方向に約15ｍｍ調節する。このような回転調節に配慮することによって、媒体スタックの高さが変わった時でも幅調節器を媒体スタックの側縁に接触させておくことが可能である。補給トレイによる媒体の支持に影響を与えることなく、したがって図３で実証されるような通常の媒体送りを犠牲にすることなく、小サイズ媒体スタックを媒体の前縁に更に近いところで接触させることも可能である。床34を正のＺ方向に、蝶番組立体36によって小サイズ媒体スタックとの係合の方に、ばね付勢することも可能である。
【００１９】
なお図１および図２を参照すると、長さ調節器40がおおよそ平面状の媒体接触面42を有していることが注目される。好適には、媒体接触面42は、小サイズ媒体スタック20の後縁の実質的部分に、典型的にはその中心領域において接触し、不必要な媒体の斜行の可能性を減らすようにしている。小サイズ媒体スタックは更に、床44によってその後縁に沿って支持されており、床44は、媒体接触面42から幾分普通に広がって小サイズ媒体スタックを下から支持している。床44は媒体を完全に端から端まで伸びる必要はないが、描写した実施形態では媒体を横断するように広がっていることが認識される。床44は、図示したように、媒体の長さ方向に約1/4乃至1/3広がっている。
【００２０】
図面を参照すればわかるように、長さ調節器40は、Ｘ軸方向に直線的に調節して、使用する媒体のサイズの変化に適応できる。長さ調節器はしたがって、タブ46ａによって定められるトラックに沿って移動する滑動要素46を備えている。長さ調節器は、通常は約５ｍｍのオーダーである距離Ｌだけ移動するよう構成されている。
【００２１】
描写した実施形態では、長さ調節器は媒体装填器の後端の近くに設置されていてユーザが操作しやすいようにしている握り48を使用して手作業で調節される。長さ調節器は滑動要素46とトラック46ａとの間の摩擦力によって、選択された位置を維持している。代わりに、媒体接触面42を正のＸ方向に、小サイズ媒体スタックとの接触の方に付勢して、正しい媒体の位置合わせを維持するのに役立てることができる。窪み49は、手の加えられた補給トレイに対して媒体を挿入したり取り外したりするときにユーザが媒体スタックに触るためにある。
【００２２】
したがって、媒体装填器インサート10は補給トレイ110の内部に嵌まりこんで、小サイズ媒体を受け取るように特に構成されている、変更された媒体受け空間を画定していることが認識されよう。媒体接触面32は、補給トレイの左側面に対して調節可能で、変更された媒体受け空間の幅を規定している。媒体接触面42は、補給トレイの前縁に対して調節可能で、修正された媒体受け空間の長さを規定している。補給トレイ110の左および前壁はそれぞれ、変更された媒体受け空間の左および前の限界を固定して画定している。修正された媒体受け空間内部の媒体は、幅調節器に床34および長さ調節器の床44によって下から支持されている。媒体昇降機120は、幅調節器床34を支持し、媒体スタックを補足的に支持する（図３）。
【００２３】
今度は図１乃至図３を参照すると、媒体装填器インサート10が、プリンタ210の内部で媒体装填器インサートを位置合わせするのに使用される、本体12の両側から上方に突出している位置あわせ隆起50を備えていることがわかる。媒体装填器インサートは、プリンタの補給トレイの位置合わせ溝212に設置されるよう構成されている補給トレイ110に挿入されることが思い出される。補給トレイはまた、プリンタ設計の分野の当業者に認識されるように、位置合わせ隆起を用いて、または他の位置合わせ機構を用いて、嵌めこむことができる。上に示したように、媒体装填器インサートは、調節可能な側縁止め130を使用して、および調節可能な後縁止め140を使用して、補給トレイの内部に固定されている。事実、現在の実施形態では、長さ調節器は後縁止めと連結して協働し、後縁止めの調節を可能にしている。
【００２４】
図３に示すように、位置あわせ隆起はＸ軸に平行な向きにある細長い、おおよそ平面状の突起である。各隆起は媒体接触面42のまさに後方の中央位置から媒体装填器インサートの背後の方に伸びている。描写された実施形態では、隆起は、プリンタ210の補給トレイ収納用の開口内部に補給トレイを設置すると位置あわせ溝212に係合するよう構成されているゆるやかに傾斜した前方の傾斜部分を備えている。隆起がそのように係合した状態で、媒体装填器インサートは、Ｚ軸方向の所定の場所に保持される。更に、補給トレイの側縁止めによって横方向の移動を制限されることに加え、隆起と位置あわせ溝との間の連携によって偏揺れ方向の位置合わせ不良が起こらないように規制される。
【００２５】
図３はまた、媒体装填器インサート10が補給トレイの床115の上にどの様に載るかを示している。たとえば、長さ調節器の床44の下面は補給トレイの床115の上面に直接接触している。媒体装填器インサートの側壁も典型的には、補給トレイの床の上に載って、安定な支持構造が構成されている。長さ調節器の床44は比較的薄く、したがって小型媒体スタック20を補給トレイの床115のごくわずか上の高さで支持し、補給トレイの収容力の大部分を利用可能な状態で残存させている。
【００２６】
媒体20は長さ調節器の床44の前端を越えて、通常は、媒体昇降機120によって支持されている幅調節器の床３４の上まで広がっていることが理解できる。昇降機120は補給トレイ110の内部に形成されており、補給トレイ内部の媒体スタックの前縁を選択的に持ち上げてピックアップローラ215に接触させていることが理解されよう。媒体装填器インサートは、小サイズ媒体の前縁を図示のように媒体昇降機の上に位置させることによって媒体昇降機を利用するように構成されている。したがってピックアップローラ215を使用して、媒体を印刷のためにプリンタの補給ポートに引き込むことができる。
【００２７】
描写した実施形態では、媒体昇降機120は、補給トレイの床に蝶番で回転可能に留められ、したがって媒体昇降機が、おおむねＹ軸に平行な軸Ｃの周りを回転できる。好適には、媒体昇降機は、媒体昇降機の上に載っておりやはりＹ軸におおむね平行な軸Ｂの周りを回転する幅調節器の床34と連携して回転する。典型的には、媒体昇降機は、上方に（図３における時計回りに）回転して媒体をピックアップローラ215の方に押すようにばね付勢されている。単一のピックアップローラが図示されているが、当業者は、複数の、間を離されつつも密接するように設置されたピックアップローラを使用して媒体の斜行の危険性を更に減らすことができることを理解するであろう。
【００２８】
したがって、ユーザは、図示した媒体装填器インサートを使用して、Ａ６媒体、葉書媒体、などのような小サイズ媒体に印刷するとき、斜行を減らすことができる。ユーザは、補給トレイを単に引き出し、補給トレイから媒体を取出し、媒体装填器インサート10を補給トレイ内に設置する。次に媒体装填器10を、上に説明したように補給トレイの調節可能な側縁止めおよび調節可能な後縁止めを使用して、所定位置に固定する。媒体装填器および補給トレイそれぞれの互いに合致する後部輪郭を利用して位置決めすることができる。媒体ホルダ・インサートを所定位置に固定すると、小サイズ媒体を窪み状の媒体支持領域14に設置することができる。媒体を、幅調節器30および長さ調節器40を使用してその正しい向きに維持することができる。最後に、補給トレイをプリンタの位置あわせ溝に再挿入して媒体を補給トレイ内部の媒体装填器インサートからピックアップすることができる。
【００２９】
本発明を前述の動作原理および実施形態を参照して図示し説明してきたが、当業者には、形態および細目に関する他の変更を、付記した特許請求の範囲に規定する本発明の精神および範囲から逸脱することなく行い得ることが明らかであろう。
【００３０】
本発明には、以下のような実施の態様がある。
【００３１】
（実施の態様１）
補給トレイ（110）を有するプリンタ（210）に用いられる媒体装填器インサート（10）であって、
小寸法媒体受け（14）を画定し、前記補給トレイ（110）に嵌まって安定する大きさになっている、インサート本体（12）と、
前記小寸法媒体受け（14）に近在し、該小寸法媒体受け（14）の側縁に沿って中央に配置されて該小寸法媒体受け（14）内の媒体（20）の側縁に中央で接触することによって媒体の斜行を抑える幅調節器（30）と
を備えることを特徴とする媒体装填器インサート（10）。
【００３２】
（実施の態様２）
前記補給トレイ（110）が、補給トレイ（110）に入っている封書サイズの媒体に選択的に接触するように構成されている側縁止め（130）を備え、
前記インサート本体（12）の幅が、封書サイズの媒体の幅に対応している
ことを特徴とする実施の態様１に記載の媒体装填器インサート。
【００３３】
（実施の態様３）
幅調節器（30）が、前記小寸法媒体受け（14）の内部にある媒体の側縁に選択的に接触するように構成されている調節可能な媒体接触面（32）を備えることを特徴とする実施の態様１に記載の媒体装填器インサート。
【００３４】
（実施の態様４）
前記媒体接触面（32）が、小寸法媒体受け（14）の内部にある媒体の側縁と接触する方に付勢されていることを特徴とする実施の態様３に記載の媒体装填器インサート。
【００３５】
（実施の態様５）
前記幅調節器（30）が、小寸法媒体受け（14）の内部の媒体（20）を下から支持するように構成された調節可能な床（34）を備えることを特徴とする実施の態様１に記載の媒体装填器インサート。
【００３６】
（実施の態様６）
前記幅調節器の床（34）が上方に自由に回転して、小寸法媒体受け（14）の内部にある媒体（20）のピックアップを可能にすることを特徴とする実施の態様５に記載の媒体装填器インサート。
【００３７】
（実施の態様７）
前記小寸法媒体受け（14）が、葉書媒体を収納する大きさであることを特徴とする実施の態様１に記載の媒体装填器インサート。
【００３８】
（実施の態様８）
前記小寸法媒体受け（14）が、Ａ６サイズの媒体を収納する大きさであることを特徴とする実施の態様１に記載の媒体装填器インサート。
【００３９】
（実施の態様９）
更に、
前記小寸法媒体受け（14）に近在し、
前記小寸法媒体受け（14）の内部の媒体（20）の後縁に中央で選択的に接触するように、該小寸法媒体受け（14）の後縁に沿って中央に配置されている
長さ調節器（40）を備えることを特徴とする実施の態様１に記載の媒体装填器インサート。
【００４０】
（実施の態様１０）
前記補給トレイ（110）が、調節可能な後縁止め（140）を備えており、
前記長さ調節器（40）が前記調節可能な後縁止め（140）と連携して、前記補給トレイ（110）の該調節可能な後縁止め（140）を介して該長さ調節器（40）を調節することを可能にしていることを特徴とする実施の態様９に記載の媒体装填器インサート。
【００４１】
（実施の態様１１）
前記インサート本体（12）の後縁（12ａ）が前記補給トレイ（110）の輪郭に模倣しており、このことが、前記媒体装填器インサート（10）を前記補給トレイ（110）に装填する際に役立つ視覚的手がかりになることを特徴とする実施の態様１に記載の媒体装填器インサート。
【００４２】
（実施の態様１２）
前記幅調節器（30）が、第１の軸（Ａ）の周りを回転して前記小寸法媒体受け（14）の内部にある媒体（20）の側縁に接触するよう付勢されている媒体接触面（32）を備え、
前記幅調節器（30）が、第１の軸（Ａ）に交差する第２の軸（Ｂ）の周りを回転して前記小寸法媒体受け（14）の内部にある媒体（20）を下から支持する床（34）を備えることを特徴とする実施の態様１に記載の媒体装填器インサート。
【００４３】
（実施の態様１３）
前記補給トレイ（110）が、該補給トレイ（110）の中にある媒体（20）の前縁を選択的に持ち上げるように構成されている媒体昇降機（120）を備え、
前記幅調節器の床（34）が前記媒体昇降機（120）とともに動き、小寸法媒体受け（14）の内部にある媒体（20）を選択的に持ち上げるように構成されていることを特徴とする実施の態様１２に記載の媒体装填器インサート。
【００４４】
（実施の態様１４）
印刷のために補給ポート（220）から挿入される封書サイズの媒体を収納するように構成され、補給トレイ（110）に入っている封書サイズの媒体の側縁に選択的に接触するよう構成された調節可能な側縁止め（130）を備える補給トレイ（110）と、
小寸法媒体受け（14）を有するインサート本体（12）、および
前記小寸法媒体受け（14）の側縁に沿って配置されており、前記小寸法媒体受け（14）の内部にある媒体（20）の側縁に選択的に接触する調節可能な媒体接触面（32）を有する幅調節器（30）
を備える媒体装填器インサート（10）であって、
封書サイズの媒体の幅に対応する幅を備え、調節可能な側縁止め（130）が媒体装填器インサート（10）に接触して媒体装填器インート（10）を所定位置に固定して媒体装填器インサート（10）を補給トレイ（110）の内部に着脱可能に配置するようにしている媒体装填器インサート（10）と
を備えることを特徴とするプリンタ（210）。
【００４５】
（実施の態様１５）
前記幅調節器（30）の前記媒体接触面（32）が小寸法媒体受け（14）の内部にある媒体（20）の側縁に接触するように付勢されていることを特徴とする実施の態様１４に記載のプリンタ。
【００４６】
（実施の態様１６）
前記補給トレイ（110）が更に、該補給トレイ（110）の中にある媒体（20）の前縁を選択的に持ち上げるように構成されている媒体昇降機（120）を備え、
前記幅調節器（30）が更に、前記小寸法媒体受け（14）の内部にある媒体（20）を下から支持する床（34）を備え、
前記幅調節器の床（34）が媒体昇降機（120）とともに動いて、前記小寸法媒体受け（14）の内部にある媒体（20）を選択的に持ち上げるよう構成されていることを特徴とする実施の態様１４に記載のプリンタ。
【００４７】
（実施の態様１７）
媒体装填器インサート（10）が更に、前記小寸法媒体受け（14）に近在する長さ調節器（40）を備え、
前記長さ調節器（40）は、前記小寸法媒体受け（14）の後縁に沿って配置されており、該小寸法媒体受け（14）の内部にある媒体（20）の後縁に選択的に接触することを特徴とする実施の態様１４に記載のプリンタ。
【００４８】
（実施の態様１８）
前記小寸法媒体受け（14）が葉書媒体を収納する大きさであることを特徴とする実施の態様１４に記載のプリンタ。
【００４９】
（実施の態様１９）
印刷のために補給ポート（220）から挿入される封書サイズの媒体を受けるよう構成され、
補給トレイ（110）に入っている封書サイズの媒体の側縁に選択的に接触するように構成された調節可能な側縁止め（130）を備え、
補給トレイ（110）の中にある媒体（20）の前縁を選択的に持ち上げるよう構成されている媒体昇降機（120）を備える
補給トレイ（110）と、
小サイズの媒体（20）を中に収納するように構成された小寸法媒体受け（14）を有するインサート本体（12）、
前記小寸法媒体受け（14）の内部にある小サイズの媒体（20）の側縁に選択的に接触するように構成された幅調節器（30）、および
小寸法媒体受け（14）の内部にある小サイズの媒体（20）の後縁に選択的に接触するように構成された長さ調節器（40）
を有する媒体装填器インサート（10）と
を備え、
前記幅調節器（30）が、
前記小寸法媒体受け（14）の側縁に沿って配置されており、第１の軸（Ａ）の周りを回転して該小寸法媒体受け（14）の内部にある小サイズの媒体（20）の側縁に選択的に接触するように付勢された回転式媒体接触面（32）と、
前記第１の軸（Ａ）に交差する第２の軸（Ｂ）の周りを前記媒体昇降機（120）とともに回転して、前記小寸法媒体受け（14）の内部にある媒体（20）を選択的に持ち上げるように構成された回転式幅調節器床（34）と
を備えており、
長さ調節器（40）が、前記小寸法媒体受け（14）の後縁に沿って設置されており、該小寸法媒体受け（14）の内部にある媒体（20）の後縁に選択的に接触する調節可能な媒体接触面（42）を備えており、
前記調節可能な側縁止め（130）が前記媒体装填器インサート（10）に接触して該媒体装填器インサート（10）を所定位置に固定することによって該媒体装填器インサート（10）を前記補給トレイ（110）の内部に着脱可能に設置するように該媒体装填器インサート（10）が封書サイズの媒体の幅に対応する幅を有していることを特徴とするプリンタ（210）。
【図面の簡単な説明】
【図１】  小サイズ媒体スタックが破線で示されている、本発明に従って構成された媒体装填器インサートの等角図である。
【図２】  媒体装填器インサートが本発明の他の局面に従ってプリンタ補給トレイに挿入されている、図１の媒体装填器インサートの平面図である。
【図３】  補給トレイの動作を実証するために補給トレイがプリンタに挿入されている、図２の媒体装填器インサートおよび補給トレイの側面断面図である。
【符号の説明】
10  媒体装填器インサート
12  インサート本体
14  小寸法媒体受け
20  媒体
30  幅調節器
32  調節可能媒体接触面
34  調節可能な床
40  長さ調節器
110   補給トレイ
120   媒体昇降機
130   調節可能な側縁止め
210   プリンタ
220   補給ポート
【図１】
0003808738.tif 000002
【図２】
0003808738.tif 000003
【図３】
0003808738.tif 000004